(57)【特許請求の範囲】
【請求項１】
収容される硬貨種の直径に応じた幅を有すると共に、該幅の方向に延びる複数の仕切板（１０）で等間隔に区分された硬貨収容部（４）を有する容器部（２）と、
該容器部（２）を覆う蓋部（５）と、
を備えた硬貨収容容器（１）であって、
前記仕切板（１０）は、単位枚数ごとに積み重ねた際の硬貨の厚みに相当する長さごとに配設されており、
前記蓋部（５）には、前記仕切板（１０）に近接又は略接触する高さのリブ（１８）が設けられていることを特徴とする硬貨収容容器。
【請求項２】
前記仕切板（１０）は、前記硬貨の直径未満の間隔ごとに配設されており、上縁部を、前記容器部（２）の開口縁部よりも上方に突出させていることを特徴とする請求項１に記載の硬貨収容容器。
【発明の詳細な説明】
【技術分野】
【０００１】
本発明は、硬貨を種類別に収容した状態で持ち運びできる硬貨収納容器に関し、特に、持ち運んだ際に硬貨が散乱するのを防止できる硬貨収容容器に関する。
【背景技術】
【０００２】
小売業などにおける日常の会計業務に使用される硬貨収容容器には、図１２に示す硬貨収容容器１のように、硬貨を種類別に区分けした状態で容器部２に収容することができるように、区画壁３によって硬貨のサイズに応じた大きさに区画されたものが多い（特許文献１の図１０を参照）。
そして、このような硬貨収容容器１の多くは、収容される硬貨の直径に応じた幅を有する硬貨収容部４を備えたもので、その硬貨収容部４に硬貨を積み重ねて収容することで、容易に計数することができるようにしている。
【０００３】
このような硬貨収容容器において、容器部２の一側部２ａに蓋５を回動可能に設け、容器部２の他端部に設けられた操作部６を操作することによって、容器部２に設けられた係止部７と、蓋部５に設けられた被係止部８とが係脱し、蓋部５が開閉される構造を採用したものが多く、分別収納された硬貨が運搬中に位置ずれするのを防止するために、蓋部５の内側に突条を設ける技術が提案されている（特許文献１の図4を参照）。
【特許文献１】特開２００４−２２５４４０号公報
【発明の概要】
【発明が解決しようとする課題】
【０００４】
しかし、特許文献１に記載の硬貨収容容器１において、容器部２を平面上に置いて計数作業を行なう際に、硬貨収容部４に硬貨が略満杯に収容されていない時には、硬貨収容部４内で硬貨が倒れたり斜めになったりしてしまい、収容金額を瞬時に把握することができない。
この状態において、硬貨を計数する必要がある場合は、硬貨を再度整列させ、最下位から順に数えていかなければならないので、計数作業が煩雑であった。
【０００５】
また、硬貨収容部４に適度な空間がある場合は、持ち運びの際に、硬貨が硬貨収容部４の壁に当たるので、騒音が激しかった。
そこで、本発明は、収容金額の把握や計数が容易で、運搬中に硬貨が壁面に当たる音を低減することができる硬貨収容容器の提供を目的とする。
【課題を解決するための手段】
【０００６】
上記課題を解決するために、本発明は、収容される硬貨種の直径に応じた幅を有すると共に該幅の方向に延びる複数の仕切板で等間隔に区分された硬貨収容部を有する容器部と、該容器部を覆う蓋部と、を備えた硬貨収容容器であって、前記仕切板は、単位枚数ごとに積み重ねた際の硬貨の厚みに相当する長さごとに配設されており、前記蓋部には、前記仕切板に近接又は略接触する高さのリブが設けられていることを特徴とするものである。
この場合、前記仕切板は、前記硬貨の直径未満の間隔ごとに配設されており、上縁部を、前記容器部の開口縁部よりも上方に突出させたものであってもよい。
【発明の効果】
【０００７】
請求項１に係る硬貨収容容器は、硬貨の直径に応じた幅に形成された硬貨収容部を、仕切板によって、５枚、１０枚等の単位枚数ごとに積み重ねた際の硬貨の厚みに相当する長さに区分したので、当該硬貨収容部において、硬貨の詰まった区分の数を数えることで、収容されている硬貨の金額を瞬時に概算することができるようになる。また、仕切板で区分したことにより、硬貨収容部において収容されている硬貨の枚数が少ない場合であっても、硬貨収容部内で硬貨が倒れるのを防止できる。
また、仕切板によって硬貨の移動範囲を規制することができるので、持ち運びの際に硬貨が大きく移動するのを防止することができ、硬貨が壁に当たる音を小さくすることができる。
【０００８】
特に、硬貨収容部は、蓋部に設けられたリブと仕切板とによって、単位枚数に相当する長さごとに等間隔に区画されるので、１つの区画に収容された硬貨の枚数が、その区画に収容されるべき単位枚数に満たない場合であっても、他の区画へと移動するのを防止できる。
これによって、持ち運び後においても、硬貨が整列され、尚且つ単位枚数毎に仕切られた状態を維持させることができる。
請求項２に係る硬貨収容容器は、仕切板を、硬貨の直径未満の間隔ごとに配設すると共に、その上縁部を、容器部の開口縁部よりも上方に突出させたので、より効果的に硬貨の移動を規制することができる。
【図面の簡単な説明】
【０００９】
【図１】本発明の実施形態に係る硬貨収容容器を示す斜視図である。
【図２】上記硬貨収容容器を開放した状態の平面図である。
【図３】図２における正面図である。
【図４】蓋を閉じた状態におけるＡ−Ａ線矢視断面図である。
【図５】図４において、硬貨を収容した状態を示すＡ−Ａ線矢視断面図である。
【図６】硬貨を収容した状態で蓋を閉じた状態を示すＢ−Ｂ線矢視断面図である。
【図７】上記硬貨収容容器の使用状態を示す説明図である。
【図８】硬貨収容部に表示可能な目盛りの例を示し、（Ａ）は１円収容部の表示で、（Ｂ）は１０円収容部の表示で、（Ｃ）は１００円収容部の表示である。
【図９】従来の硬貨収容容器を示す斜視図である。
【発明を実施するための形態】
【００１０】
本発明の好適な実施形態を、添付図面に基づいて説明する。なお、実施形態は以下の形態に限定されるものではなく、本発明の課題を解決し得るものであれば、他の態様も可能である。
【００１１】
図１は、本発明の実施形態に係る硬貨収容容器１を示す斜視図である。
この硬貨収容容器１は、小売業などにおける日常の会計業務に使用されるもので、硬貨を種類別に区分した状態で収容する容器部２と、その容器部２の一側部２ａに回動可能に設けられた蓋部５と、によって構成されたものである。
【００１２】
この容器部２は、合成樹脂製の材料によって、蓋部５と共に一体成形されたものであり、その内部は、縦方向に延びる区画壁３によって、複数の硬貨収容部４に区画されている。
即ち、容器部２の背面側に位置する後端部２ａにおいて、商標や本製品の使用方法等を表示するための表示部９を設け、その表示部９より手前側に、１円、５円、１０円等の直径の小さい硬貨を収容するための硬貨収容部４ａ、４ｂ，４ｃが設けられ、残りの領域に、５０円、１００円、５００円等の直径の大きい硬貨を収容するための硬貨収容部４ｄ，４ｆ、４ｅが形成されている。
【００１３】
これらの硬貨収容部４を形成するための区画壁３は、容器２の正面側前端部から後端部に達しており、その上端部は、容器２の開口縁部と同一の高さにまで達している。
このような区画壁３によって形成された硬貨収容部４は、図２に示すように、各硬貨収容部４ａ，４ｂ，４ｃ，４ｄ，４ｅに収容される硬貨の直径に応じた幅Ｗを有する空間部であって、夫々の硬貨収容部４は、幅方向に延びる仕切板１０によって、複数の区画に区分されている。
【００１４】
この仕切板１０は等間隔に複数配設されており、これらの仕切板１０によって区切られている各区画は、硬貨を単位枚数（例えば１０枚）ごとに積み重ねた際の厚みに相当する長さＭを有している。
この仕切板１０の上縁部は、図３に示すように、容器部２の開口縁部よりも上方に突出しており、その上縁の中間部には、凹状の窪み部１２が設けられている。この窪み部１２に指を差し入れることで、その区画に収容されている硬貨を容易に取り出すことができる。
【００１５】
仕切板１０の板面には、２本のリブ１３が設けられている。このリブ１３によって、当該区画に収容されている硬貨と仕切板１０との間に隙間を生じさせることができるので、区画内に硬貨が詰まっている場合であっても、容易に摘み出すことが出来る。
夫々の硬貨収容部４の底部には、そこに収容される硬貨の直径に応じた高さの凸部１４が延設されており（図４参照）、蓋を閉じた際に、蓋部５に設けられた後述する凸部１５との間で硬貨を保持するようにしたことで、持ち運びの際の硬貨のガサつきを防止できる（図５参照）。
【００１６】
この容器部２の後端部には、図２に示すように、ヒンジ１６を介して蓋部５が回動可能に設けられており、前端部には、蓋部５に設けられた開閉操作部６に係止されて嵌めこまれる係止部７が設けられている。
次に、蓋部５の構成について説明する。
【００１７】
蓋部５の内側には、容器部２の区画壁３に対応する位置において、突条１７が延設されている。
この突条１７は、図４に示すように、蓋を閉じた際に、容器２に設けられた区画壁３に近接又は略接触する程度の高さに設計されており、その突条１７の両側には、容器部２の仕切板１０に対応する位置にリブ１８が設けられている。
【００１８】
このリブ１８は、仕切板１０に近接又は略接触するような高さに設計されており、硬貨を収容した状態で蓋を閉じた際に、図６に示すように、このリブ１８と容器２の仕切板１０とによって硬貨の収容空間を規制できるようにしている。
市場に流通している硬貨の殆どにおいて、計数に便利な単位枚数の硬貨の厚み（即ち、硬貨５枚の厚み、硬貨１０枚の厚み）は硬貨の直径よりも小さいので、仕切板１０の配設間隔（即ち収容区画４の長さＭ）も硬貨の直径未満である。
【００１９】
このため、収容される硬貨の枚数が少ない場合であっても、容器２を水平に置いた際に硬貨が倒れたり、持ち運び中に移動して、他の収容区画へと散乱するのを防止できる。
この蓋５の正面部には、開閉操作を行なうための操作部６が設けられている。
この操作部６は、容器２及び蓋５に一体成型されたものであり、厚みの薄いヒンジ部６ａを介して蓋５に対して回動可能となっている。
この操作部６の板面には、係止孔６ｂが設けられており、蓋を閉じた際に、容器部２に設けられた係止部７が係止されて嵌合されるようになっている。
【００２０】
上記構成の硬貨収容容器１の使用状態を説明する。
硬貨を硬貨収容部４に入れる際は、図５に示すように、硬貨のサイズに応じた硬貨収容部４に収容されるが、この際、各硬貨収容部４においては、図８に示すように、夫々の区画が満杯になるように順次収容していく。満杯にならない区画については、蓋部５の内側に設けられた突条１７と、硬貨収容部４の区画壁３によって、硬貨の収納領域が規制されるので、端数の硬貨は、区画内において位置規制される。
【００２１】
このように、収容されている硬貨の枚数が少なくて、硬貨収容部内で硬貨が動くことがあっても、硬貨は仕切板１０やリブ１８に係止された状態となり、硬貨が平面状に倒れないようにすることができるので、その区画内における硬貨の収容枚数を容易に把握することができる。
当該硬貨収容部４における合計金額を計数する際には、硬貨の詰まった区分の数を数えた後、端数の硬貨を数えることで、収容金額を瞬時に計算することができる。
硬貨収容容器１を持ち運ぶ際は、蓋を閉じることによって、蓋部５の内側に設けられた突条１７と、硬貨収容部４の区画壁３によって、硬貨の収納領域が規制される。これによって、運搬中に、硬貨が他の硬貨収納部へと移動するのを防止できる。
【００２２】
また、仕切板１０とリブ１８によって硬貨の移動範囲を規制することができるので、持ち運びの際に硬貨が大きく移動するのを防止することができ、硬貨が壁に当たる音を小さくすることができる。
１つの区画に収容された硬貨の枚数が、その区画に収容されるべき単位枚数に満たない場合であっても、運搬中の衝撃によって、硬貨が他の区画へと移動することがない。これによって、持ち運び後においても、硬貨が種類毎に整列され、尚且つ単位枚数毎に仕切られた状態を維持させることができる。
【００２３】
なお、本実施形態において、夫々の硬貨収容部４に、図８に示すような目盛りを設けてもよい。
この目盛りは、上方に硬貨の種類を示すタイトル（例えば１円）を表示し、その下を硬貨積載方向に沿って3列に区分し、１列目に、下端部から硬貨１枚分の間隔をあけて基準線ｐを設けた後、硬貨２枚に相当する間隔の目盛り線ａと硬貨３枚に相当する間隔の目盛り線ｂとを交互に配設し、夫々の目盛りに、その位置に対応する金額（例えばタイトルが１円の場合、１、３、６，８，１１，１３，・・・ｎ，ｎ＋２，n＋２+３）を表示している。
中央の２列目には、下端部から硬貨２枚分の間隔をあけて基準線ｐ’を設けた後、同様に硬貨２枚に相当する間隔の目盛り線ｂと硬貨３枚に相当する間隔の目盛り線ｃとを交互に配設し、夫々の目盛りにその位置に対応する金額（２、４、７，９，１２，１４・・・ｎ＋１，ｎ＋１＋２，ｎ＋１＋２＋３）を表示し、そして、３列目には、下端部ｐ”から硬貨５枚分に相当する間隔ｃ毎に、その位置に対応する金額（５，１０，１５・・・ｎ）を表示している（ｎは５の倍数）。
【００２４】
このように、硬貨積載方向に沿って３列に区分し、そのうちの２列の表示部に、硬貨２枚に相当する間隔の目盛り線ａと硬貨３枚に相当する間隔の目盛り線ｂとを交互に配設し、残りの１列に硬貨５枚に相当する目盛りすることによって、５枚単位に計数することが容易になり、１円玉５枚と５円、１０円玉５枚と５０円、１００円玉５枚と５００円の両替にも便利である。
下から硬貨を積み上げて収容し、その積み上げられた硬貨の上端の表示を読むことで、その硬貨収容部４に収容されている硬貨の合計金額を把握することができる。
【００２５】
また、本実施形態においては、蓋部５に突条１７を設けることによって、硬貨の移動空間を規制したが、所定間隔毎（Ｍ）に配設された仕切板１０によっても硬貨の移動空間を規制することができるので、必ずしも突条１７は設ける必要はない。
この場合、仕切板１０の上縁部を蓋部５に近接させることによって、硬貨が移動しないようにすることができるが、硬貨の収容作業における便宜を考えると、仕切板１０の高さを容器部２の高さと同程度とし、蓋部５との間に生じた空間を、突起１８やリブ１８によって仕切るのが好ましい。
【産業上の利用可能性】
【００２６】
本発明は、単体で使用される硬貨収容容器のみではなく、あらゆる収納庫に組み込まれた硬貨収容容器に適用することができる。
【符号の説明】
【００２７】
１・・・硬貨収容容器
２・・・容器部
３・・・区画壁
４・・・硬貨収容部
５・・・蓋部
６・・・操作部
７・・・係止部
９・・・表示部
１０・・・仕切板
１２・・・窪み部
１３・・・リブ
１４・・・凸部
１５・・・凸部
１６・・・ヒンジ
１７・・・突条
１８・・・リブ
【図１】
0005553458.tif 000002
【図２】
0005553458.tif 000003
【図３】
0005553458.tif 000004
【図４】
0005553458.tif 000005
【図５】
0005553458.tif 000006
【図６】
0005553458.tif 000007
【図７】
0005553458.tif 000008
【図８】
0005553458.tif 000009
【図９】
0005553458.tif 000010